(57)【要約】【課題】構造及び温度制御が簡単でファンの容量も抑制可能な回転式熱処理炉を提供する。【解決手段】炉本体３１と、径方向に延びる側壁３２ｃで仕切られた略等しい大きさの格納室３２ａが周方向に複数かつ多段状に形成され中央部には空隙３２ｂが形成されてなる平面視略ドーナツ状で、第一ゾーンＰと第二ゾーンＱを跨ぐように設置され回転自在に支持される格納回転体３２と、格納回転体３２を回転させる回転駆動装置３３と、空隙３２ｂに固定された竪型円筒状で格納室３２ａに連通した開口部３４Ａが設けられた内筒部３４と、第一ゾーンＰと第二ゾーンＱに分断する第一仕切壁３５と第二仕切壁３６と、内筒部３４と炉本体３１の壁面の間に曲面状のダクト内壁３７Ａを有し吹出口Ｅと吸込口Ｆが形成された循環ダクト３７と、第一ゾーンＰに熱風を送る、内筒部３４の上部に設けられた第一ファン３８と、第二ゾーンＱに風を送る第二ファン３９を備える。【選択図】図１
2019074296.tif 000002
【特許請求の範囲】
【請求項１】
内側が第一ゾーンと第二ゾーンに分断された炉本体と、
径方向に延びる側壁で仕切られた略等しい大きさの格納室が周方向に複数かつ多段状に形成されるとともに中央部には空隙が形成されてなる平面視略ドーナツ状で、前記第一ゾーンと前記第二ゾーンを跨ぐように設置されしかも回転自在に支持される格納回転体と、
前記格納回転体を回転させる回転駆動装置と、
前記格納回転体に非接触状態で前記格納回転体の中央部に形成された空隙に固定された竪型円筒状で、その周側面の平面視左周側面に前記格納室に連通した開口部が設けられるとともに平面視右周側面は閉状態にされたと内筒部と、
前記内筒部の右周側面における周方向一方端部に相対向する、前記炉本体の壁面の位置から前記格納回転体まで延びる第一仕切壁と、
前記内筒部の右周側面における周方向他方端部に相対向する、前記炉本体の壁面の位置から前記格納回転体まで延びる第二仕切壁と、
前記内筒部の右周側面と前記炉本体の壁面の間に、前記内筒部の右周側面の形状に沿って立設された曲面状のダクト内壁を有し、その前記内筒部側に吹出口と吸込口が互いに離れた位置に形成された循環ダクトと、
前記第一ゾーンに加熱器で温められた熱風を送る、前記内筒部の上部に設けられた第一ファンと、
前記第二ゾーンに風を送る、前記第一ファンとは独立した第二ファンを備え、
前記第一仕切壁の前記格納回転体側の部位が前記側壁の一つと近接するときに、前記第二仕切壁の前記格納回転体側の部位が前記側壁の他の一つと近接し、
前記第一ファンからの熱風を、前記内筒部内に下降させ前記開口部から、前記第一ゾーンに位置する前記格納室の外周側に向けて略水平に送り、前記炉本体の壁面に沿って上昇させて前記第一ファンまで戻すように循環させるとともに、
前記第二ファンからの熱風を、前記循環ダクト内を周方向正向きに送り前記吹出口から吐出し、前記第二ゾーンに位置する前記格納室の外周側に沿って周方向逆向きに送り前記吸込口から前記第二ファンまで戻すように循環させたことを特徴とする回転式熱処理炉。
【請求項２】
前記循環ダクトの吸込口は、前記循環ダクトの略中央部に形成されるとともに、前記吹出口は、前記循環ダクトの周方向の両端部の前記内筒部側に形成され、
前記第二ファンは、前記循環ダクトに形成された吸込口に相対向する前記炉本体の壁面近傍に設けられ、
前記第二ファンからの熱風を、前記循環ダクトの略中央部から周方向外向きに送り前記吹出口から吐出し、前記第二ゾーンに位置する前記格納室の外周側に沿って周方向内きに送り前記循環ダクトの吸込口から前記第二ファンまで戻すようにしたことを特徴とする請求項１に記載の回転式熱処理炉。
【請求項３】
前記循環ダクトは、前記吸込口が形成された位置の高さに比較して、前記吹出口が形成された位置の高さを大きくするようにしたことを特徴とする請求項２に記載の回転式熱処理炉。
【請求項４】
前記循環ダクトの前記吹出口が形成された位置の高さを、前記吸込口が形成された位置の高さから徐々に大きくするようにして、前記吹出口が形成された位置の高さを最大にするようにしたことを特徴とする請求項３に記載の回転式熱処理炉。
【請求項５】
前記格納室に被加熱物を搬出入するための搬出入口を、前記格納回転体の回転により前記第二ゾーンから前記第一ゾーンに進入する部分におけるその第一ゾーン側に位置する前記炉本体の壁面に設けたことを特徴とする請求項１乃至４のうちいずれか一つに記載の回転式熱処理炉。
【発明の詳細な説明】
【技術分野】
【０００１】
本発明は、熱風を循環させてアルミニウム合金などの被加熱物に熱処理を施す回転式熱処理炉に関するものである。
【背景技術】
【０００２】
従来、例えば、アルミニウム合金等の被加熱物に熱処理を施すために、熱風循環式や多段型炉床回転式を組み合わせた回転式熱処理炉が知られている（例えば、特許文献１参照）。
【０００３】
この回転式熱処理炉２０は、図７に示すように、中央部上方に設けられたファン２４により一旦熱風を炉底まで送り、最も下方に位置する格納室２２ａに熱風を入れ、その熱風を最も上方に位置する格納室２２ａまで順に送るものである。そして、その熱風は再びファン２４により炉底まで送られる。
また、内筒には仕切り２１が設けられ、その仕切り２１によって加熱ゾーンと均熱ゾーンに分離され、加熱ゾーンでは、すばやく昇温するために大量の熱量投入と高速の熱風の循環が行われ、均熱ゾーンでは、熱量的には飽和した状態で一定の温度に維持する熱風の循環が行われる。
【先行技術文献】
【特許文献】
【０００４】
【特許文献１】特開２００９−２４３８７７号公報
【発明の概要】
【発明が解決しようとする課題】
【０００５】
しかしながら、特許文献１に記載された発明では中央部の上方に設けられた一台のファン２４によって加熱ゾーンと均熱ゾーンの両方に熱風を循環させているため、ファン２４の容量は大きくその分、炉本体の高さが高くなってしまう。
したがって、炉本体の大きさによっては、生産工場から納品場所まで輸送するためには炉本体を分割構造としなければ輸送できないという問題がある。
【０００６】
また、被加熱物を加熱して昇温させる加熱帯（加熱ゾーン）は、昇温した状態を保つ均熱帯（均熱ゾーン）よりも多くの熱量、すなわち大きな風量と風速を必要とし、ファン２４から吐出される熱風を均熱ゾーンよりも加熱ゾーンに多く分配するものであるが、一台のファン２４だけであると、熱風を分配するための構造と温度制御が複雑になってしまうといった問題があった。
【０００７】
そこで、本発明の目的とするところは、構造及び温度制御が簡単でファンの容量も抑制可能な回転式熱処理炉を提供することにある。
【課題を解決するための手段】
【０００８】
上記の目的を達成するために、本発明の回転式熱処理炉（３０）は、内側が第一ゾーン（Ｐ）と第二ゾーン（Ｑ）に分断された炉本体（３１）と、
径方向に延びる側壁（３２ｃ）で仕切られた略等しい大きさの格納室（３２ａ）が周方向に複数かつ多段状に形成されるとともに中央部には空隙（３２ｂ）が形成されてなる平面視略ドーナツ状で、前記第一ゾーン（Ｐ）と前記第二ゾーン（Ｑ）を跨ぐように設置されしかも回転自在に支持される格納回転体（３２）と、
前記格納回転体（３２）を回転させる回転駆動装置（３３）と、
前記格納回転体（３３）に非接触状態で前記格納回転体（３３）の中央部に形成された空隙（３２ｂ）に固定された竪型円筒状で、その周側面の平面視左周側面に前記格納室（３２ａ）に連通した開口部（３４Ａ）が設けられるとともに平面視右周側面は閉状態にされたと内筒部（３４）と、
前記内筒部（３４）の右周側面における周方向一方端部に相対向する、前記炉本体（３１）の壁面の位置から前記格納回転体（３２）まで延びる第一仕切壁（３５）と、
前記内筒部（３４）の右周側面における周方向他方端部に相対向する、前記炉本体（３１）の壁面の位置から前記格納回転体（３２）まで延びる第二仕切壁（３６）と、
前記内筒部（３４）の右周側面と前記炉本体（３１）の壁面の間に、前記内筒部（３４）の右周側面の形状に沿って立設された曲面状のダクト内壁（３７Ａ）を有し、その前記内筒部（３４）側に吹出口（Ｅ）と吸込口（Ｆ）が互いに離れた位置に形成された循環ダクト（３７）と、
前記第一ゾーン（Ｐ）に加熱器（Ｈ）で温められた熱風を送る、前記内筒部（３４）の上部に設けられた第一ファン（３８）と、
前記第二ゾーン（Ｑ）に風を送る、前記第一ファン（３８）とは独立した第二ファン（３９）を備え、
前記第一仕切壁（３５）の前記格納回転体（３２）側の部位が前記側壁（３２ｃ）の一つと近接するときに、前記第二仕切壁（３６）の前記格納回転体（３２）側の部位が前記側壁（３２ｃ）の他の一つと近接し、
前記第一ファン（３８）からの熱風を、前記内筒部（３４）内に下降させ前記開口部（３４Ａ）から、前記第一ゾーン（Ｐ）に位置する前記格納室（３２ａ）の外周側に向けて略水平に送り、前記炉本体（３１）の壁面に沿って上昇させて前記第一ファン（３８）まで戻すように循環させるとともに、
前記第二ファン（３９）からの熱風を、前記循環ダクト（３７）内を周方向正向きに送り前記吹出口（Ｅ）から吐出し、前記第二ゾーン（Ｑ）に位置する前記格納室（３２ａ）の外周側に沿って周方向逆向きに送り前記吸込口（Ｆ）から前記第二ファン（３９）まで戻すように循環させたことを特徴とする。
【０００９】
また、本発明は、前記循環ダクト（３７）の吸込口（Ｆ）は、前記循環ダクト（３７）の略中央部に形成されるとともに、前記吹出口（Ｅ）は、前記循環ダクト（３７）の周方向の両端部の前記内筒部（３４）側に形成され、
前記第二ファン（３９）は、前記循環ダクト（３７）に形成された吸込口（Ｆ）に相対向する前記炉本体（３１）の壁面近傍に設けられ、
前記第二ファン（３９）からの熱風を、前記循環ダクト（３７）の略中央部から周方向外向きに送り前記吹出口（Ｅ）から吐出し、前記第二ゾーン（Ｑ）に位置する前記格納室（３２ａ）の外周側に沿って周方向内きに送り前記循環ダクト（３７）の吸込口（Ｆ）から前記第二ファン（３９）まで戻すようにしたことを特徴とする。
【００１０】
また、本発明は、前記循環ダクト（３７）は、前記吸込口（Ｆ）が形成された位置の高さ（Ｓ）に比較して、前記吹出口（Ｅ）が形成された位置の高さ（Ｔ）を大きくするようにしたことを特徴とする。
【００１１】
また、本発明は、前記循環ダクト（３７）の前記吹出口（Ｅ）が形成された位置の高さ（Ｔ）を、前記吸込口（Ｆ）が形成された位置の高さ（Ｓ）から徐々に大きくするようにして、前記吹出口（Ｅ）が形成された位置の高さ（Ｔ）を最大にするようにしたことを特徴とする。
【００１２】
また、本発明は、前記格納室（３２ａ）に被加熱物（Ｗ）を搬出入するための搬出入口（４１）を、前記格納回転体（３２）の回転により前記第二ゾーン（Ｑ）から前記第一ゾーン（Ｐ）に進入する部分におけるその第一ゾーン（Ｐ）側に位置する前記炉本体（３１）の壁面に設けたことを特徴とする。
【００１３】
ここで、上記括弧内の記号は、図面および後述する発明を実施するための形態に掲載された対応要素または対応事項を示す。
【発明の効果】
【００１４】
本発明の記載の回転式熱処理炉によれば、格納回転体の中央部に形成された空隙に固定された竪型円筒状の内筒部に開口部を設けることで形成された第一ゾーンと、循環ダクトを設けることで形成された第二ゾーンを分断して、第一ゾーンに対しては、加熱器で温められた熱風を、内筒部の上部に設けられた第一ファンから送るようにし、第二ゾーンに対しては、第一ファンとは独立した第二ファンから風を送るようにしたので、第一ゾーン内における温度制御と第二ゾーン内における温度制御を別々に行うことができる。
これによって、ゾーン毎に精度の高い制御を簡単に行うことができ、例えば、第一ゾーンについては、格納室内の被加熱物を瞬時に加熱させる加熱帯（加熱ゾーン）とし、第二ゾーンについては、被加熱物の温度を一定に維持する均熱帯（均熱ゾーン）としたときの制御をきめ細かく行うことができる。
【００１５】
また、従来例のように、第一ゾーンと第二ゾーンの両方に一台のファンを介して熱風を送るものでは大きな風量・風速を必要とすることから大きなファンを、炉本体の天井に設置する必要があるが、本発明では二台のファンを使用することになるので、天井に設ける側の一台のファンの大ききを従来のものと比較して小さいものにすることができる。
その結果、炉本体の天井スペースを小さくすることができるので炉本体の高さを低く炉本体の体積を小さいものとし、熱損失を少なくして省エネを図ることができる。
また、回転駆動装置やファンといった最低限の部材を取外すだけで、他は分解せずに炉本体を輸送可能となる。
【００１６】
また、本発明によれば、循環ダクトの略中央部に吸込口を形成し、吹出口を循環ダクトの周方向の両端部の内筒部側に形成して、第二ファンからの熱風を、循環ダクトの略中央部から周方向外向きに送り吹出口から吐出し、第二ゾーンに位置する格納室の外周側に沿って周方向内きに送り循環ダクトの吸込口から第二ファンまで戻すようにしたので、構造が簡易である。また、上下縦方向に熱風を循環させる第一ゾーンに対して、第二ゾーンでは横方向（周方向）に風を循環させる方式であるので、バランスがよく短時間で均熱状態にすることができる。
【００１７】
また、本発明によれば、循環ダクトについて、吸込口が形成された位置の高さに比較して、吹出口が形成された位置の高さを大きく、例えば、徐々に大きくするようにしたので、循環ダクトの構成だけで風速をアップさせることができる。
【００１８】
また、本発明によれば、格納室に被加熱物を搬出入するための搬出入口を、格納回転体の回転により第二ゾーンから第一ゾーンに進入する部分におけるその第一ゾーン側に位置する炉本体の壁面に設けたので、搬出入口から漏れる熱量を抑制することができる。
【００１９】
なお、本発明の回転式熱処理炉のように、第一ゾーン専用の第一ファンと、第二ゾーン専用の第二ファンをそれぞれ設けて、熱循環させる点は、上述した特許文献１には全く記載されていない。
【図面の簡単な説明】
【００２０】
【図１】本発明の実施形態に係る回転式熱処理炉を示す平面図である。
【図２】図１の回転式熱処理炉において第一ゾーンと第二ゾーンを模式的に示した平面図である。
【図３】本発明の実施形態に係る回転式熱処理炉を示す、図１のＡ−Ａ線縦断面図である。
【図４】本発明の実施形態に係る回転式熱処理炉を示す、図１のＢ−Ｂ線縦断面図である。
【図５】図１に示す循環ダクトの拡大斜視図である。
【図６】図１に示す循環ダクトの別態様を示す拡大斜視図である。
【図７】従来例に係る回転式熱処理炉を示す縦断面図である。
【発明を実施するための形態】
【００２１】
図１乃至図４を参照して、本発明の実施形態に係る回転式熱処理炉３０を説明する。
この回転式熱処理炉３０は、アルミニウム合金等の被加熱物Ｗに熱処理を施すための熱処理炉であり、炉本体３１と、格納回転体３２と、回転駆動装置３３を備えるとともに、炉本体３１の内側は、内筒部３４，第一仕切壁３５，第二仕切壁３６によって、第一ゾーンＰと第二ゾーンＱに分断され、第一ゾーンＰでは第一ファン３８によって熱風が循環させられ、第二ゾーンＱでは第二ファン３９によって熱風が循環させられるようにしている。
【００２２】
炉本体３１は、平面視略円形状で、主に格納回転体３２と第一ファン３８，第二ファン３９を収容し、炉本体３１内の熱が外部に逃げ難くなるように断熱処理されている。
【００２３】
格納回転体３２は、格納室３２ａが周方向に複数（ここでは１２個）かつ多段状（ここでは６段）に形成されるとともに中央部には空隙３２ｂが形成されてなり、平面視略ドーナツ状である。この格納回転体３２は、炉本体３１の内側に第一ゾーンＰと第二ゾーンＱを跨ぐように設置され、しかも回転自在に支持される。
【００２４】
また格納室３２ａは、それぞれが略等しい大きさの平面視扇形であって、径方向に延びる側壁３２ｃで周方向が仕切られており、内部に被加熱物Ｗを格納する。
そして、第一ゾーンＰに位置する格納室３２ａが平面視で６個、第二ゾーンＱに位置する格納室３２ａが平面視で６個になるように、格納回転体３２は配置されている。
【００２５】
回転駆動装置３３は、格納回転体３２を回転させる動力源であり、炉本体３１の下部に設けられた回転用歯車３３ａに噛み合う歯車３３ｂを回転させる駆動用モータ３３ｃからなる。
本実施形態においては、回転駆動装置３３は格納回転体３２を平面視時計回り（図１の紙面において右回り）に回転させる。
一つの格納室３２ａが、格納室３２ａに被加熱物Ｗを搬出入するために設けられた搬出入口４１の正面となる状態では、回転駆動装置３３は停止している。そして、所定時間の経過後に回転駆動装置３３は１／１２回転（３０度）だけ格納回転体３２を回転させた後、回転を停止する。その後、所定時間が経過するとまた格納回転体３２を１／１２（３０度）回転させる。
このように、回転駆動装置３３は作動と停止を繰り返して、格納回転体３２を断続的に回転させる。
【００２６】
なお、図１に示すように、搬出入口４１については、格納回転体３２の回転により第二ゾーンＱから第一ゾーンＰに進入する部分におけるその第一ゾーンＰ側に位置する炉本体３１の壁面に設けるようにしたが、この位置に限られるものではない。
【００２７】
内筒部３４は、竪型円筒状で、格納回転体３３の中央部に形成された空隙３２ｂに設置されている。内筒部３４は、炉本体３１の天井から吊り下げられ、格納回転体３３に対して非接触状態になるように、内筒部３４の周側面は格納室３２ａに対して間があけられ、内筒部３４の底面は格納回転体３３の床面に対して間があけられている。
また、内筒部３４の周側面の平面視左周側面（図１，図２の紙面において左側）には格納室３２ａに連通した開口部３４Ａが設けられている。なお、平面視右周側面（図１，図２の紙面において右側）は通常の円筒体の周側面で曲面状の仕切壁として機能する閉状態であり、特に開口部は設けられていない。ここでは内筒部３４の周側面の平面視左周側面を大きく開けた開口部３４Ａとしているが、熱風を通過されるものであればよく、開口部３４Ａの大きさは特に限定されるものではない。
【００２８】
また、内筒部３４の右周側面における周方向一方端部に相対向する、炉本体３１の壁面の位置から格納回転体３２までは、第一仕切壁３５が延び、内筒部３４の右周側面における周方向他方端部に相対向する、炉本体３１の壁面の位置から格納回転体３２までは、第二仕切壁３６が延びている。すなわち、第一仕切壁３５は、内筒部３４の右周側面の一方端部における、炉本体３１の壁面の内面側から径方向に炉本体３１の中心に向って延び、第二仕切壁３６は、内筒部３４の右周側面の他方端部における、炉本体３１の壁面の内面側から径方向に炉本体３１の中心に向って延びている。本実施形態において、内筒部３４の右周側面の一方端部の位置ｍと、内筒部３４の右周側面の他方端部の位置ｎとは、内筒部３４において１８０度ずれた位置にあり、内筒部３４の右周側面とは、円を等しく半分にしたときの半円の右側に相当するものである。
【００２９】
ここで、格納回転体３２が回転し、第一仕切壁３５の格納回転体３２側の部位が格納回転体３２の側壁３２ｃの一つの外周側と近接するときには、第二仕切壁３６の格納回転体３２側の部位は格納回転体３２の側壁３２ｃの他の一つの外周側と近接するようにされている。
これにより、図２に示すように、炉本体３１を平面視で、第一仕切壁３５と一つの側壁３２ｃ，内筒部３４の右周側面，そして第二仕切壁３６と他の一つの側壁３２ｃによって一連の仕切壁が構成される。この一連の仕切壁Ｌによって、炉本体３１の内部は仕切壁Ｌの左側に位置する第一ゾーンＰと、仕切壁Ｌの右側に位置する第二ゾーンＱに分断される。
【００３０】
また、第二ゾーンＱとなる、内筒部３４の右周側面と炉本体３１の壁面の間には循環ダクト３７が形成されている。
循環ダクト３７は、図５に示すように、内筒部３４の右周側面の形状に沿って立設された曲面状のダクト内壁３７Ａと、炉本体３１の壁面の形状に沿って立設された曲面状のダクト外壁３７Ｂと、ダクト内壁３７Ａの上面とダクト外壁３７Ｂの上面同士を連結して上部を塞いだダクト上面壁３７Ｃからなり、略中央部には循環ダクト３７の吸込口Ｆが形成され、循環ダクト３７の周方向の両端部の内筒部３４側には、それぞれ吹出口Ｅが形成されている。
吸込口Ｆは円形状の丸穴であり、吹出口Ｅはダクト内壁３７Ａの上面から下面まで開口した矩形状の長穴である。
なお、本実施形態では、循環ダクト３７の周方向の一端部を、上述した第一仕切壁３５とし、循環ダクト３７の周方向の他端部を、上述した第二仕切壁３６としているが、第一仕切壁３５，第二仕切壁３６と循環ダクト３７とは別体のもので構成するようにしてもよい。
【００３１】
第一ファン３８は、内筒部３４の上部で炉本体３１の天井に設けられ、第一ゾーンＰに対してだけに加熱器Ｈで温められた風を送る。加熱器Ｈは、第一ゾーンＰにおいて炉本体３１の天井から吊り下げられたヒータであり、出力７５ｋｗのものを使用した。なお、加熱器Ｈとしてはバーナ等の他の熱源であってもよい。
【００３２】
第二ファン３９は、循環ダクト３７の吸込口Ｆに相対向した炉本体３１の壁面に設けられ、第二ゾーンＱに対してだけに風を送る。第二ファン３９は第一ファン３８とは独立した別のものである。
第二ファン３９は、第二ゾーンＱを均熱帯にすることができればよくその送風は熱風でも冷風でもよい。なお、本実施形態では第二ゾーンＱには加熱器を設けていないが、温度調整のために加熱器を設けるようにしてもよい。
【００３３】
これらのファン３８，３９としては、軸流ファンやシロッコラジカルファン等を用いることができる。
なお、第一ファン３８は、出力３０ｋｗで、風量２５００ｍ3／ｍｉｎの熱風を送ることができるのに対して、第二ファン３９は、出力１０ｋｗで、風量５００ｍ3／ｍｉｎの熱風を送ることができるものを使用している。
【００３４】
このように構成された回転式熱処理炉３０における熱風の循環について説明する。
第一ゾーンＰでは、図１、図３、図４に示すように、第一ファン３８から、加熱器Ｈで温められた熱風Ｘを、内筒部３４内を上から下降させ開口部３４Ａから、第一ゾーンＰに位置する格納室３２ａの外周側に向けて略水平に、すなわち格納回転体３２の径方向内側から外側に向けて送り、炉本体３１の壁面に沿って上昇させて第一ファン３８まで戻すように循環させる。
【００３５】
第二ゾーンＱは、図１、図５に示すように、第二ファン３９からの風Ｙを、循環ダクト３７の略中央部から周方向外向きに送り二つの吹出口Ｅから吐出し、第二ゾーンＱに位置する格納室３２ａの外周側に沿って周方向内きに送り、循環ダクト３７の吸込口Ｆから第二ファン３９まで戻すように循環させる。
【００３６】
このとき、第一ゾーンＰに位置する６個の格納室３２ａに格納された被加熱物Ｗは、加熱器Ｈで温められた熱風Ｘが第一ファン３８から送られることで、加熱により瞬時に昇温させられる。
そして、格納回転体３２の回転によって、第一ゾーンＰから第二ゾーンＱに移動させられた６個の格納室３２ａに格納された被加熱物Ｗは、第二ファン３９によって循環ダクト３７を流れる熱風（冷風であってもよい）Ｙによって設定された均一の温度に維持される。
つまり、第一ゾーンＰが、被加熱物Ｗを加熱して昇温させる加熱帯（加熱ゾーン）となり、第二ゾーンＱが、その昇温した状態を保つ均熱帯（均熱ゾーン）となる。
なお、第一ゾーンＰ，第二ゾーンＱにはそれぞれ温度センサ（図示しない）が設けられ、それぞれ所定の温度に制御されるようになっている。
【００３７】
以上のように構成された回転式熱処理炉３０によれば、格納回転体３２の中央部に形成された空隙３２ｂに固定された竪型円筒状の内筒部３４の平面視左周側面に格納室３２ａに連通した開口部３４Ａを設けることで形成された第一ゾーンＰと、循環ダクト３７を設けることで形成された第二ゾーンＱを分断して、第一ゾーンＰに対しては、加熱器Ｈで温められた熱風Ｘを、内筒部３４の上部に設けられた第一ファン３８から送るようにし、第二ゾーンＱに対しては、第一ファン３８とは独立した第二ファン３９から風を送るようにしたので、第一ゾーンＰ内における温度制御と第二ゾーンＱ内における温度制御を別々に行うことができる。
これによって、ゾーン毎に精度の高い制御を簡単に行うことができる。すなわち、第一ゾーンＰを、格納室３２ａ内の被加熱物Ｗを瞬時に加熱させる加熱帯（加熱ゾーン）とし、第二ゾーンＱを、被加熱物Ｗの温度を一定に維持する均熱帯（均熱ゾーン）にしたときの制御をきめ細かく行うことができる。
【００３８】
なお、本実施形態では、図５に示したように、循環ダクト３７では、吸込口Ｆが形成された位置においても吹出口Ｅが形成された位置においても同じ高さにしたが、図６に示すように、吸込口Ｆが形成された位置の高さＳに比較して、吹出口Ｅが形成された位置の高さＴを大きくするようにしてもよい。ここでは、循環ダクト３７の吹出口Ｅが形成された位置の高さＴを、吸込口Ｆが形成された位置の高さＳから徐々に大きくするようにして、吹出口Ｅが形成された位置の高さＴを最大にするようにしている。
これによれば、循環ダクト３７の形状を変えるだけで風速をアップさせることができるとともに循環ダクト３７の中央部上部に空きスペースを確保することができる。
【００３９】
また、循環ダクト３７については、内筒部３４の右周側面と炉本体３１の壁面の間で内筒部３４側に、曲面状のダクト内壁３７Ａを設け、炉本体３１の壁面側に同じく曲面状のダクト外壁３７Ｂを設けてダクト上面壁３７Ｃで上面を塞いだものであるが、ダクト外壁３７Ｂを省略して、ダクト内壁３７Ａと炉本体３１の壁面の内壁とで循環ダクト３７を形成しダクト上面壁３７Ｃで上面を塞ぐようにすることもできる。
【００４０】
また、循環ダクト３７の中央部に一つの吸込口Ｆを形成し、吹出口Ｅを循環ダクト３７の周方向の両端部の内筒部３４側に向けて二つ形成するようにしたが、循環ダクト３７の周方向の両端部のうち一方側に吸込口Ｆを形成し他方側に吹出口Ｅを形成するようにしてもよい。これに対応して、第二ファン３９を設置する位置も変えるようにしてもよい。
【００４１】
また、本実施形態では、格納回転体３２を回転させることにより、第一ゾーンＰに位置する格納室３２ａの数を平面視で６個、第二ゾーンＱに位置する格納室３２ａの数を平面視で６個としたが、全体の１２個という数や、第一ゾーンＰと第二ゾーンＱに対する格納室３２ａの割合も１対１に限定されるわけではない。
【００４２】
また、内筒部３４の平面視左周側面に格納室３２ａに連通した開口部３４Ａ側に各段，各列の格納室３２ａに風量を均等に分配させるための整流板を設置するようにしてもよい。
【符号の説明】
【００４３】
２０      回転式熱処理炉
２１      仕切り
２２ａ    格納室
２４      ファン
３０      回転式熱処理炉
３１      炉本体
３２      格納回転体
３２ａ    格納室
３２ｂ    空隙
３２ｃ    側壁
３３      回転駆動装置
３３ａ    回転用歯車
３３ｂ    歯車
３３ｃ    駆動用モータ
３４      内筒部
３４Ａ    開口部
３５      第一仕切壁
３６      第二仕切壁
３７      循環ダクト
３７Ａ    ダクト内壁
３７Ｂ    ダクト外壁
３７Ｃ    ダクト上面壁
３８      第一ファン
３９      第二ファン
４１      搬出入口
Ｅ      吹出口
Ｆ      吸込口
Ｈ      ヒータ（加熱器）
Ｌ      仕切壁
Ｐ      第一ゾーン
Ｑ      第二ゾーン
Ｗ      被加熱物
Ｘ      第一ゾーン内の熱風
Ｙ      第一ゾーン内の風
【図１】
2019074296.tif 000003
【図２】
2019074296.tif 000004
【図３】
2019074296.tif 000005
【図４】
2019074296.tif 000006
【図５】
2019074296.tif 000007
【図６】
2019074296.tif 000008
【図７】
2019074296.tif 000009